(57)【要約】【課題】本体を金属製とした場合に、金属の有する色彩や光沢などの美しさをそのまま活かし、これを損なうことなく、これに塗着する塗料の色も楽しむことができ、異なる材質や色の対比、組み合わせによる美しさを新たに創造できる装身具用部材およびその製造方法を得る。【解決手段】金属製の本体部２の表面の一部に塗料７を塗着し、金属部３と塗着部４との組み合わせで形成し、前記金属製の本体部２の塗料７が塗着される部分は、粗面に形成し、前記金属製の本体部２の非塗着面は、上面が平坦な小さな突起５を連続させて形成する。【選択図】        図１
2005034284.tif 000002
【特許請求の範囲】
【請求項１】
金属製本体の表面の一部に塗料を塗着し、金属部と塗着部との組み合わせで形成することを特徴とした装身具用部材。
【請求項２】
前記金属製本体の塗料が塗着される部分は、粗面に形成したことを特徴とする請求項１記載の装身具用部材。
【請求項３】
前記金属製本体の非塗着面は、上面が平坦な小さな突起を連続させて形成することを特徴とする請求項１記載の装身具用部材。
【請求項４】
金属製本体の表面の全面に塗料を塗着し、この塗着面の一部を溝状に切削して金属面が露出する小さな突起を連続させて形成し、この突起の上面をさらに切削して金属面が露出する平坦面に形成することを特徴とする装身具用部材の製造方法。
【発明の詳細な説明】
【０００１】
【発明の属する技術分野】
この発明は、ネックレスやイヤリングなどの装身具の本体部分を構成する装身具用部材およびその製造方法に関するものである。
【０００２】
【従来の技術】
装身具の本体部分を構成する部材には、例えば宝石や貴金属など種々のものがあり、宝石や貴金属の場合は、従来から宝石や貴金属が独自に備える固有の色や光沢などの美しさをそのまま活かすようにしているが、例えば、貴石や宝石について、これに強い色彩的変化をさらに与えるものとして、貴石や宝石類の裏面に塗着した塗料層を設け、この塗料層の部分で台座と接着するようにしたものがある（例えば、特許文献１参照）。
【０００３】
これにより、貴石や宝石の本来的に有する色に塗料の色を付加することができ、新規な色の組み合わせによる新たな色彩効果が得られ、装飾性を向上できる。
【０００４】
【特許文献１】
特開２００２−０９５５０８号公報
【０００５】
【発明が解決しようとする課題】
前記従来技術は、装身具の部材として宝石類を用いるもので、その裏面に塗装するものであるから、宝石本来の色と塗料の色とが混ざり合って見えることになる。このため、装身具用部材としては、基本的には宝石であることに変わりはなく、ただその色が従来とは異なるものに変化しただけのものである。
【０００６】
また、裏面に塗装してもその色が看取できるのは、装身具用部材が透明な宝石類であるからであり、金属製の部材にかかる技術を応用することは困難である。そして、前記従来技術では宝石本来の色と新たに付加した塗料の色との両方をそれぞれ単独で楽しむことはできない。
【０００７】
この発明の目的は前記従来例の不都合を解消し、本体を金属製とした場合に、金属の有する色彩や光沢などの美しさをそのまま活かし、これを損なうことなく、これに塗着する塗料の色も楽しむことができ、異なる材質の組み合わせによる美しさを新たに創造できる装身具用部材およびその製造方法を提供することにある。
【０００８】
【課題を解決するための手段】
この発明は前記目的を達成するため、請求項１記載の発明は、金属製本体の表面の一部に塗料を塗着し、金属部と塗着部との組み合わせで形成することを特徴とする。
【０００９】
請求項１記載の本発明によれば、装身具用部材の表面が金属部と塗料による塗着部との組み合わせで形成されるから、異質のものの組み合わせとなり、相互に質感が強調されて装飾性が向上する。
【００１０】
請求項２記載の発明は、前記金属製本体の塗料が塗着される部分は、粗面に形成したことを特徴とする。
【００１１】
請求項２記載の本発明によれば、金属製本体の塗料が塗着される面を粗面に形成することで、塗量が容易かつ確実に塗着し、剥がれるおそれがなく、仕上がりが美しくなる。
【００１２】
請求項３記載の発明は、前記金属製本体の非塗着面は、上面が平坦な小さな突起を連続させて形成することを特徴とする。
【００１３】
請求項３記載の本発明によれば、非塗着面は上面が平坦な小さな突起の集合となるから、各突起の平坦な上面が反射面となって、非塗着面は結果として全体的には乱反射面となる。よって、乱反射による輝面が形成され、反射面ではない塗着面との対比による斬新性が期待できる。
【００１４】
請求項４記載の発明は、製造方法として、金属製本体の表面の全面に塗料を塗着し、この塗着面の一部を溝状に切削して金属面が露出する小さな突起を連続させて形成し、この突起の上面をさらに切削して金属面が露出する平坦面に形成することを特徴とする。
【００１５】
請求項４記載の本発明によれば、金属製本体の表面の全面を塗着した後に、その一部を切削して金属面を露出させるだけの簡単な方法で、表面を金属部と塗着部との組み合わせによるものに仕上げることができる。
【００１６】
【発明の実施の形態】
以下、図面についてこの発明の実施の形態を詳細に説明する。図１はこの発明の装身具用部材の実施形態を示す正面図、図２は同上製造方法の工程図で、本発明の装身具用の部材１はネックレス、イヤリング、指輪、ブレスレットなどの装身具を構成するもので、本体部２を、材質として例えば貴金属である金を使用する金属製とし、全体形状を例えば中空の球形とした。
【００１７】
そして、円周上をこれに沿う帯状の金属部３に形成し、残りの略半球部分を後述の塗着部４に形成し、本体部２の表面を金属部３と塗着部４との組み合わせで形成する。
【００１８】
前記金属部３は、本体部２を構成する金属をそのまま使用し、例えば、図２に示すように外側に突出する多数の小さな台形状の突起５の連続する集合で形成する。図中５ａは前記突起５の上面の平坦部を示す。突起５が球面の表面に、鏡面仕上げとして曲面に沿って形成されるものであることから、前記平坦部５ａは各々が異なる方向に向く面となって形成され、しかも、表面が金属の特性を活かした輝面に形成されるから、金属部３の全体がミラーボールのように乱反射面に形成される。
【００１９】
塗着部４は、金属製の本体部２の表面を細かな凹凸を設けた粗面６に形成し、この粗面６の上に塗料７を付着させるものである。塗料７の種類としては、例えば、ＴＦＩ塗料（樹脂名称）を使用する。このＴＦＩ塗料は、塗料成分が、ポリイミド樹脂、顔料、染料、その他熱硬化性樹脂からなり、食品衛生法に合格した安全で皮膚刺激機性の無いものであり、任意の色が可能なものである。また、表面硬度も４Ｈで硬度に優れ、付着性もよく、耐薬品性、耐熱性にも優れたものである。
【００２０】
次に、かかる装身具用部材を製造する方法を図２について説明する。まず、図２（ａ）に示すように金属製の球状の本体部２を用意し、次いで図２（ｂ）に示すようにこの本体部２の表面を細かな凹凸の粗面６に形成する。そして、次の工程として図２（ｃ）に示すように、この粗面６の上に塗料７を塗着する。この塗料７の塗着は金属製の本体部２の表面の全面にわたって行なう。
【００２１】
その後、図２（ｄ）に示すように表面の一部、図示の例では円周上を帯状の範囲で、Ｖ状の溝５ｂをリング状に切削して、この溝５ｂにより連続する小さな突出部を形成し、さらに、図２（ｅ）のように、この突出部の上面を平に切削して平坦部５ａとして台形状の連続する突起５を形成する。
【００２２】
この場合、前記突起５を形成するための切削は、先行して塗着した塗着部４の塗料７およびその下の金属面の一部をダイヤモンドカットの方法で切り取ることで行ない、連続する突起５による金属部３は鏡面仕上げとなり、各突起５の平坦部５ａの表面が各方向への反射面となって、ミラーボールのような乱反射面に形成される。
【００２３】
このようにして、結果的にはかかる塗料７は、本体部２の金属部３以外の部分である略半球状部に塗布されて塗着部４となる。この場合、塗料７は粗面６の上に塗布したから、剥がれにくく、また、塗料７の色を金属の色である例えば金色とは異なる色のものを使用することで、金属部３の色と塗着部４との色との対比、組み合わせにより新たな色彩効果が期待できる。
【００２４】
そして、金属部３は、突起５の上面の平坦部５ａが突起５ごとに異なる方向に反射するので、金属部３全体として乱反射する輝面となり、反射しない塗着部４とは質感が異なり、その対比、組み合わせによる新たな斬新性も生じる。さらに、塗着された球状の本体部２に対して帯状の金属部３が張りつけられたような印象も与える。
【００２５】
前記実施形態は、金属部３を球体の中央に帯状に形成したが、これに限定されるものではなく、金属部３および塗着部４の表面形状や組み合わせは任意に設定できる。また、本体部２の形状も前記実施形態の球形に限定されるものではなく、装身具に使用できるものであればよい。
【００２６】
図３はこの発明の部材１を繋げてネックレス８とした場合、図４はイヤリング９とした場合である。
【００２７】
かかるネックレス８やイヤリング９を身に付ければ、金属部３と塗着部４との組み合わせによる装飾性で人目を惹く。また、塗着部４に塗布した塗料７は皮膚に対して安全なものであるから、安心して使用できる。
【００２８】
【発明の効果】
以上述べたようにこの発明の装身具用部材およびその製造方法は、本体を金属製とした場合に、金属の有する色彩や光沢などの美しさをそのまま活かし、これを損なうことなく、これに塗着する塗料の色も楽しむことができ、異なる材質の組み合わせによる美しさを新たに創造でき、斬新な装身具が得られるものである。
【図面の簡単な説明】
【図１】この発明の装身具用部材の正面図である。
【図２】この発明の装身具用部材の製造方法の工程図である。
【図３】この発明の装身具用部材を使用したネックレスの正面図である。
【図４】この発明の装身具用部材を使用したイヤリングの正面図である。
【符号の説明】
１  部材                      ２  本体部
３  金属部                    ４  塗着部
５  突起                      ５ａ  平坦部
５ｂ  溝                      ６  粗面
７  塗料                      ８  ネックレス
９  イヤリング
【図１】
2005034284.tif 000003
【図２】
2005034284.tif 000004
【図３】
2005034284.tif 000005
【図４】
2005034284.tif 000006